(57)【要約】【課題】  薄くかつ取り出しが容易なカードホルダを提供すること。【解決手段】  コンテナ（８）の側面（８Ｂ）に設置されて側面（８Ｂ）に沿ってカード（９）を保持するために、コンテナ（８）に支持される基部（１０）と、一端が基部（１０）に接続されかつカード（９）の表面を側面（８Ｂ）に向けて押圧する保持部（２０）と、一端が基部（１０）に接続されかつカード（９）の背面と側面（８Ｂ）との間を延びる背面部（３０）と、背面部（３０）を変形させてカード（９）の一端を側面（８Ｂ）から離隔させる操作部（３２）とを備える。【選択図】  図４
0003168375.tif 000002
【実用新案登録請求の範囲】
【請求項１】
被着物（８）の側面（８Ｂ）に設置されて前記側面（８Ｂ）に沿ってカード（９）を保持するカードホルダであって、
前記被着物（８）に支持される基部（１０）と、前記カード（９）の表面を前記側面（８Ｂ）に向けて押圧する保持部（２０）と、前記カード（９）の背面と前記側面（８Ｂ）との間を延びる背面部（３０）と、前記背面部（３０）を変形させて前記カード（９）の一端を前記側面（８Ｂ）から離隔させる操作部（３２）とを備えたことを特徴とするカードホルダ。
【請求項２】
請求項１に記載したカードホルダにおいて、
前記保持部（２０）および前記背面部（３０）は、それぞれの一端が前記基部（１０）の同一面に接続されていることを特徴とするカードホルダ。
【請求項３】
請求項１に記載したカードホルダにおいて、
前記背面部（３０）は一端が前記基部（１０）に接続され、前記保持部（２０）は、一端が前記背面部（３０）の前記基部（１０）に接続された側とは反対側の端部に接続されていることを特徴とするカードホルダ。
【請求項４】
請求項１から請求項３の何れかに記載したカードホルダにおいて、
前記操作部（３２）は、前記背面部（３０）の端部に形成されたタブ状の部分であることを特徴とするカードホルダ。
【請求項５】
請求項１から請求項４の何れかに記載したカードホルダにおいて、
前記操作部（３２）は、前記操作部（３２）の先端に向かって前記側面（８Ｂ）から離隔するように傾斜していることを特徴とするカードホルダ。
【請求項６】
請求項１から請求項５の何れかに記載したカードホルダにおいて、
前記操作部（３２）ないし前記背面部（３０）にかけて指を挿入可能な切欠き（３３）が形成されていることを特徴とするカードホルダ。
【請求項７】
請求項１から請求項６の何れかに記載したカードホルダにおいて、
前記保持部（２０）は、前記背面部（３０）との間に保持された前記カード（９）を前記背面部（３０）に向けて押圧するように、先端側が前記背面部（３０）に近接するように変形されていることを特徴とするカードホルダ。
【請求項８】
請求項１から請求項３の何れかに記載したカードホルダにおいて、
前記背面部（３０）は前記基部（１０）に接続された一端から離れた位置に前記側面側（８Ｂ）に突出する突起（３９）を有し、前記突起（３９）を挟んで前記背面部（３０）の前記基部（１０）に接続された一端とは反対側が前記操作部（３２）とされていることを特徴とするカードホルダ。
【請求項９】
請求項１から請求項８の何れかに記載したカードホルダにおいて、
前記基部（１０）は、前記被着物（８）の前記側面（８Ｂ）から突出するフランジ（８Ａ）の上面に固定されることを特徴とするカードホルダ。
【請求項１０】
請求項１から請求項９の何れかに記載したカードホルダにおいて、
前記被着物（８）は、物品の収納または保管に利用される箱体であることを特徴とするカードホルダ。
【考案の詳細な説明】
【技術分野】
【０００１】
本考案は、コンテナ等の被着物の側面にカードを掲示するためのカードホルダに関する。
【背景技術】
【０００２】
従来、製品工場や配送所では、物品の運搬や保管のために規格サイズのコンテナが多用されている。
このようなコンテナとしては、例えば上面が開いた直方体状に形成された、合成樹脂の成形品が多用されている。
これらのコンテナでは、内容物や搬送先の情報を識別するための識別カードを側面に掲示することがなされている。識別カードとしては、作業者が視覚的に識別するための文字や記号のほか、識別装置が光学的に読み取り可能なバーコードや電磁気的に読み取り可能な記憶媒体、あるいは電波による個体識別を行うＲＦＩＤタグ等が用いられる。
このようなカードを着脱自在に保持するために、コンテナの側面にはカードホルダが設置される。
【０００３】
特許文献１に記載のものは、コンテナの側面に沿ってカードを保持するものであり、コンテナの下フランジの上面に固定される基板と、この基板から側面に沿って立ち上がる押え板とを備える。押え板は弾性材料で形成され、押え板と側面との間に挿入されたカードを押圧することができ、これにより保持したカードの外れが防止される。特許文献１では、大小の押え板が二重に設置され、カードの大きさが様々であっても何れかの押え板による押圧が確実に行われる。
【０００４】
特許文献２に記載のものは、板状の本体を有し、この本体は大型カード保持部の内側に凹んだ小型カード保持部を有し、サイズが異なる２種類のカードを保持できる。各保持部では、周辺のリブによりカードの周囲を確実に保持するとともに、中央部止め板によりカードを各保持部の表面に押圧して外れを防止している。
板状の本体は、上端の取付片と下端の凸ツメとでコンテナに固定され、コンテナの側面に密接あるいは所定間隔で支持される。
【０００５】
特許文献３に記載のものは、背板の表面側に額縁状の枠体を配置し、枠体と背板との間にポケット状のカード保持部を形成する。背板はコンテナの側面に四隅のねじ止め等で固定され、あるいは枠体の下端に形成された取付片でコンテナの下フランジ上面に固定される。特許文献３では、背板に厚みをもたせ、背板の上端中央に三角形の切込を形成しており、切込内に指を入れることで保持部内のカードの端部を摘むことができる。
（特許文献３参照）。
【先行技術文献】
【特許文献】
【０００６】
【特許文献１】実公昭５５−４３４２４号公報
【特許文献２】実開平２−１０８８５１号公報
【特許文献３】特開２００２−２３４５４４号公報
【考案の概要】
【考案が解決しようとする課題】
【０００７】
前述した特許文献１，２では、カードの取り出しが難しいという問題がある。これらのカードホルダに保持されたカードを取り出す際には、作業者が指でカードの表面を押してカードホルダからずらす操作、あるいは指でカードの辺縁を摘んで引き出す操作が必要である。しかし、特許文献１ではカードがコンテナの側面に押し付けられて密接し、特許文献２ではカードが板状の本体に押し付けられて密接しているため、カードをずらそうとしても抵抗が大きく、カードの辺縁を引き起こそうとしてもカードと側面あるいは本体との隙間に指が入りにくい。特に、作業者が作業用手袋を装着している場合、指先が滑りやすくなるうえ、指先がさらに太くなり、困難さが一層増すことになる。
【０００８】
前述した特許文献３では、三角形の切込と背板の厚みとにより、カードの辺縁とコンテナの側面との間に隙間が形成されるため、カードの辺縁を摘むことが容易にできる。しかし、摘みやすさを増すために背板を更に厚くすると、カードホルダ全体としての厚みが増してしまうという問題がある。
このようなカードホルダの問題は、コンテナ用のカードホルダに限らず、他の被着物、例えば機器類、車両などの外装やケース、日用品などにおいても同様である。
【０００９】
本考案の主な目的は、薄くかつ取り出しが容易なカードホルダを提供することである。
【課題を解決するための手段】
【００１０】
本考案は、コンテナの側面に設置されて前記側面に沿ってカードを保持するカードホルダであって、前記コンテナに支持される基部と、前記カードの表面を前記側面に向けて押圧する保持部と、前記カードの背面と前記側面との間を延びる背面部と、前記背面部を変形させて前記カードの一端を前記側面から離隔させる操作部とを備えたことを特徴とする。
【００１１】
本考案において、前記保持部および前記背面部は、それぞれの一端が前記基部の同一面に接続されている構成とすることができる。
あるいは、前記背面部は一端が前記基部に接続され、前記保持部は、一端が前記背面部の前記基部に接続された側とは反対側の端部に接続されている構成としてもよい。
【００１２】
このような本考案では、保持部と背面部との間にカードを保持する。基部をコンテナに固定した際に保持部および背面部がコンテナの側面に沿うように形成すれば、カードホルダとしての厚みを小さくすることができる。
カードを取り出す際には、操作部に力を加えて背面部を変形させ、カードの一部をコンテナの側面から引き離す。例えば、背面部の一端側を引き起こすことで、カードも背面部とともに引き起こされ、カードの一端がコンテナの側面から離隔されるので、ここに指を入れてカードを摘むことができる。または、カードの一端を保持部で押さえた状態で、背面部を円弧状に湾曲させれば、カードの他端が背面部から離れて引き起こされるため、そこに生じる隙間に指を入れて摘むことができる。
このように、本考案では、操作部で背面部を変形させることで、通常は側面に密接しているカードの一端を側面から引き起こし、指で摘めるようにし、取り出しを容易にすることができる。
【００１３】
本考案において、前記操作部は、前記背面部の前記基部に接続された一端とは反対側の端部に形成されたタブ状の部分であることが望ましい。
このような構成では、タブ状の操作部を指で引き起こすことで背面部を引き起こすことができる。
【００１４】
本考案において、前記操作部は、前記操作部の先端に向かって前記側面から離隔するように傾斜していることが望ましい。
このような構成では、操作部の先端から背面部へ向けて指を入れることで、傾斜により操作部および背面部が引き起こされ、摘む動作なしに前述した引き起こし操作を容易に行うことができる。
【００１５】
本考案において、前記操作部ないし前記背面部にかけて指を挿入可能な切欠きが形成されていることが望ましい。
このような構成では、操作部ないし背面部を引き起こしてカードの一端が側面から離隔された状態で、切欠きに他の指を入れてカードを摘む動作を容易に行うことができる。
【００１６】
本考案において、前記保持部は、前記背面部との間に保持された前記カードを前記背面部に向けて押圧するように、先端側が前記背面部に近接するように変形されていることが望ましい。
このような本考案では、背面部との間に配置されたカードが、保持部の先端で押圧されるため、保持状態を適切に維持することができる。
【００１７】
本考案において、前記背面部は前記基部に接続された一端から離れた位置に前記側面側に突出する突起を有し、前記突起を挟んで前記背面部の前記基部に接続された一端とは反対側が前記操作部とされている構成とすることができる。
このような構成では、カードの上から操作部を指で押すことで操作部が側面に近接する。一方で背面部はその中間部分が突起により側面から所定距離に維持されるため、結果として背面部ないし操作部の全体が湾曲し、これによりカードの一部を起立させることができる。
【００１８】
背面部が基部に固定される一端側でカードが押圧部により押圧されている場合、同側ではカードが背面部に沿わされているが、突起を挟んだ反対側では、カードがそれ自体の剛性により平面状を維持するため、カードは背面部および操作部から離れて起立し、隙間を生じることになる。この隙間に指を入れて摘むことでカードを取り出すことができる。
背面部が基部に固定される一端側とは反対側つまり操作部の側でカードが押圧部により押圧されている場合、背面部が基部に固定される一端側でカードが背面部から離れて起立し、同様に隙間に指を入れて摘むことでカードを取り出すことができる。
【００１９】
本考案において、前記基部は、前記被着物の前記側面から突出するフランジの上面に固定されることが望ましい。
このような本考案では、被着物から突出するフランジを利用して基部を容易に支持することができ、基部から延びる保持部および背面部を被着物の側面に沿って配置するのにも適した配置とすることができる。
【００２０】
本考案において、前記被着物は、物品の収納または保管に利用される箱体であることが望ましい。
このような本考案では、内容物が見えない場合でもカードホルダに保持されたカードの表示を参照する等ができ。かつカードの着脱が容易であるため箱体の流用も容易であり、前述した本考案のカードホルダの効果を高めることができる。
【図面の簡単な説明】
【００２１】
【図１】本考案の第１実施形態を示す斜視図である。
【図２】前記第１実施形態を示す正面図である。
【図３】前記第１実施形態の装着状態を示す斜視図である。
【図４】前記第１実施形態のカード保持状態を示す断面図である。
【図５】前記第１実施形態の取り出し動作を示す断面図である。
【図６】本考案の第２実施形態を示す正面図である。
【図７】本考案の第３実施形態を示す正面図である。
【図８】本考案の第４実施形態を示す正面図である。
【図９】本考案の第５実施形態を示す斜視図である。
【図１０】前記第５実施形態を示す正面図である。
【図１１】前記第５実施形態のカード保持状態を示す断面図である。
【図１２】前記第５実施形態の取り出し動作を示す断面図である。
【考案を実施するための形態】
【００２２】
以下、本考案の実施形態を図面に基づいて説明する。
〔第１実施形態〕
図１から図５には、本考案の第１実施形態のカードホルダ１が示されている。
図１および図２に示すように、カードホルダ１は、細長い板状の基部１０を有するとともに、基部１０の上面に接続されかつ基部１０の長手方向に沿って延びる保持部２０および背面部３０を備えている。
【００２３】
図３に示すように、カードホルダ１は、コンテナ８の下フランジ８Ａに沿って形成された装着部に基部１０を固定される。
コンテナ８は、下フランジ８Ａに隣接して側面８Ｂを有し、その両側にはリブ８Ｄが形成されている。リブ８Ｄから連続して、下フランジ８Ａに沿って所定間隔で、カードホルダ１を装着するための係止部８Ｅが形成され、これらの間には側面８Ｂから突出する係止部８Ｆが形成されている。さらに、下フランジ８Ａの上面には、装着されたカードホルダ１の抜け止めに用いられる係止凹部８Ｃが形成されている。これらの係止部８Ｅ，８Ｆ，係止凹部８Ｃにより、下フランジ８Ａの上面に装着部が形成されている。
【００２４】
図４および図５に示すように、カードホルダ１がコンテナ８に装着された状態では、保持部２０および背面部３０がコンテナ８の側面８Ｂに沿って配置される。そして、保持部２０および背面部３０の間にカード９を挿入されることで、これを保持部２０で表面側から押さえ、背面部３０で支えるように保持する。
【００２５】
カードホルダ１は、基部１０、保持部２０および背面部３０の全体が、合成樹脂の射出成形等により一体に形成されている。保持部２０および背面部３０は比較的薄く形成され、樹脂材料の可撓性により主にその厚み方向に弾性変形が可能である。基部１０は比較的厚みがあり、剛性が高められている。
なお、カードホルダ１は基部１０、保持部２０および背面部３０を別体で形成して互いに接合してもよい。また、各部材料は合成樹脂に限らず、一部を金属あるいは陶磁器等の他の材料で形成してもよい。
【００２６】
基部１０は、一対のリブ８Ｄの間に収容可能な長さで係止部８Ｅ，８Ｆと下フランジ８Ａとの間隔内に圧入可能な厚さを有する細長い板状に形成され、その上面には前述した保持部２０および背面部３０が接続され、その下面には係止凹部８Ｃに係合する係止突起１１が形成されている。  係止突起１１は、係止凹部８Ｃに係合させることで基部１０がコンテナ８の装着部からの抜け止めを行うが、強い力で係止突起１１および係止凹部８Ｃを変形させることで、基部１０を下フランジ８Ａから離脱させることができる。
【００２７】
保持部２０は、基部１０の上面から起立する薄板状の部分であり、基部１０を下フランジ８Ａに固定した状態では、コンテナ８の側面８Ｂに沿って配置される。
保持部２０が起立する位置は、基部１０の上面の幅方向の中間位置であり、側面８Ｂとの間には十分な間隔が形成され、この間隔には前述した背面部３０が配置される。この背面部３０と保持部２０との間にカード９が挿入される（図４参照）。
保持部２０は、先端側（図中上側）が背面部３０に近接するように変形されており（図４の一点鎖線の状態）、カード９が挿入された際には先端側でカード９の表面を押圧し、カード９を背面部３０に押し付けて保持することができる（図４の実線の状態）。
【００２８】
保持部２０には基部１０側から大きく開口部２１が形成されている。これにより、合成樹脂材料の削減が図られるとともに、保持するカード９の露出面積の拡大が図られている。
保持部２０の先端（図中上端）にはガイド部２２が形成されている。ガイド部２２は、保持部２０の他の部分に対して屈曲され、先端側が背面部３０から離れる方向に傾斜されている。保持部２０の先端側からカード９を挿入する際には、このガイド部２２により保持部２０が背面部３０から離れる方向に変形され、カード９の円滑な挿入が行われる。
【００２９】
背面部３０は、基部１０の上面から起立する薄板状の部分であり、基部１０を下フランジ８Ａに固定した状態では、コンテナ８の側面８Ｂに沿って配置される。
保持部２０が起立する位置は、基部１０の上面の辺縁のうち側面８Ｂに近い側であり、このため保持部２０は側面８Ｂに僅かな間隔をおいて配置される。前述の通り保持部２０と背面部３０との間にカード９が挿入された際には、保持部２０で押圧されたカード９の背面が背面部３０に密接され、保持部２０からの押圧力は背面部３０で受けられる。
【００３０】
背面部３０には基部１０側から大きく開口部３１が形成されている。これにより、合成樹脂材料の削減が図られるとともに、保持部２０との厚み方向の重なり（図２参照）をなくし、一体成形する際の金型の複雑化の回避が図られている。
背面部３０の先端（図中上端）には操作部３２が形成されている。操作部３２は、背面部３０の他の部分に対して屈曲され、先端側が保持部２０のある側に向けて傾斜されている。
背面部３０の先端の中央には先端側から切欠き３３が形成され、これにより操作部３２が二つのタブ状の部分に分割されている。
切欠き３３は、背面部３０の先端（図中上端、基部１０と反対側）から基端向き（図中下向き、基部１０側）に形成されており、かつ切欠き３３は先端側が基端側よりも広い略Ｕ字ないし略Ｖ字状とされている。
【００３１】
このような本実施形態におけるカード９の取り出し手順は以下の通りである。
図４において、カードホルダ１はコンテナ８に設置され、背面部３０と保持部２０との間にカード９が保持されている。
図５に示すように、作業者がタブ状の操作部３２に指先をかけ、指先を操作部３２と側面８Ｂとの間に滑り込ませるようにすることで、操作部３２および背面部３０の先端側が手前（図５の右側）に引き起こされる。この動きに伴って、カード９は背面側を背面部３０で押され、同様に手前に引き起こされる。
この状態で、切欠き３３においては、背面部３０および操作部３２がないため、カード９の上端がコンテナ８の側面８Ｂに対して所定の隙間を空けて起立した状態となっている。そこで、先に操作部３２を操作した指を切欠き３３内へずらし、または別の指を切欠き３３にもってくることにより、カード９の上端を指先で摘み、上方へ引き出すことができる。
【００３２】
このような本実施形態によれば、以下のような効果が得られる。
基部１０および保持部２０により、従来と同様なコンテナ８への設置およびカード９の保持を行うことができる。
背面部３０および操作部３２により、取り出し時にカード９を手前側に引き起こすことができ、指先でカード９を摘んで引き出す操作を容易に行うことができる。
【００３３】
特に、切欠き３３を形成したことで、カード９の裏面側に背面部３０あるいは操作部３２がなく、コンテナ８の側面８Ｂまでの距離を確保できるため、軍手をした状態でも容易にカード９を摘んで取り出すことができる。
また、操作部３２を傾斜したタブ状に形成したため、指先を操作部３２と側面８Ｂとの間に滑り込ませることが容易にでき、カード９の引き起こしを更に容易にすることができる。
【００３４】
これらのカード９の取り出し容易性を確保するために、本実施形態では部分的に厚みを増す等の必要がなく、操作部３２を操作しない状態では保持部２０、背面部３０および操作部３２の何れも側面８Ｂ側に沿った状態に収まる。従って、本実施形態のカードホルダ１は、薄くかつ取り出しが容易なカードホルダとすることができる。
【００３５】
〔第２実施形態〕
図６には本考案の第２実施形態が示されている。
本実施形態のカードホルダ２は、背面部３０および操作部３２の形状が異なる。他の構成は前記第１実施形態と同様であるため、重複する説明は省略する。
前記第１実施形態では、保持部２０より全体に一回り大きい背面部３０および操作部３２を形成するとともに、切欠き３３で操作部３２を２つのタブ状に分割していた。これに対し、本実施形態では、切欠き３３を大きく拡げ、第一実施形態の片側だけの背面部３０および操作部３２とされている。
このような本実施形態では、操作部３２による背面部３０の引き起こしによりカード９を引き起こすことができ、前記第１実施形態と同様な効果が得られる。さらに、カード９は、引き起こされた際に背面側に背面部３０あるいは操作部３２がない辺縁が長くなるため、指先で摘む操作が容易にできる。
【００３６】
〔第３実施形態〕
図７には本考案の第３実施形態が示されている。
本実施形態のカードホルダ３は、背面部３０および操作部３２の形状が異なる。他の構成は前記第１実施形態と同様であるため、重複する説明は省略する。
前記第１実施形態では、保持部２０より全体に一回り大きい背面部３０および操作部３２を形成するとともに、切欠き３３で操作部３２を２つのタブ状に分割していた。これに対し、本実施形態では、切欠き３３を大きく拡げ、保持部２０の両側に一対の背面部３０および操作部３２が起立した構成とされている。
このような本実施形態では、何れかの操作部３２による背面部３０の引き起こしによりカード９を引き起こすことができ、前記第１実施形態と同様な効果が得られる。さらに、カード９は、引き起こされた際に背面側に背面部３０あるいは操作部３２がない辺縁が長くなるため、指先で摘む操作が容易にできる。
【００３７】
〔第４実施形態〕
図８には本考案の第４実施形態が示されている。
本実施形態のカードホルダ４は、前記第３実施形態では両側一対であった背面部３０および操作部３２を、中央に１本だけにしたものである。他の構成は前記第１あるいは第３実施形態と同様であるため、重複する説明は省略する。
このような本実施形態でも、操作部３２による背面部３０の引き起こしによりカード９を引き起こすことができ、前記第１実施形態と同様な効果が得られる。さらに、カード９は、引き起こされた際に背面側に背面部３０あるいは操作部３２がない辺縁が長くなるため、指先で摘む操作が容易にできる。さらに、背面部３０および操作部３２を最小限にすることができ、軽量化および構造の簡素可に好適である。
【００３８】
〔第５実施形態〕
図９ないし図１２には、本考案の第５実施形態のカードホルダ５が示されている。
図９および図１０に示すように、カードホルダ５は、板状で周囲が枠状に立ち上がった基部１０と、基部１０の上部から枠内に延びる背面部３０と、背面部３０の先端に形成された保持部２０とを備えている。
図１１および図１２に示すように、カードホルダ５は、コンテナ８の下フランジ８Ａに基部１０の下部を固定されることで、内側の背面部３０がコンテナ８の側面８Ｂに沿って配置される。そして、保持部２０および背面部３０の間にカード９を挿入されることで、これを保持部２０で表面側から押さえ、背面部３０で支えるように保持するものである（図１１参照）。
【００３９】
カードホルダ５は、基部１０、保持部２０および背面部３０の全体が、合成樹脂の射出成形等により一体に形成されている。
基部１０は、板状で周囲が枠状に立ち上がった形状とされ、板状の部分の中央部が開口されている。基部１０の下面には、第１実施形態と同様な係止突起１１が形成され、コンテナ８の下フランジ８Ａの係止凹部８Ｃに係合させることで、基部１０がコンテナ８の下フランジ８Ａに固定される。
【００４０】
背面部３０は、基部１０の上部から連続して開口内に延び、その先端は基部１０の下側部分に近接されている。保持部２０はこの先端の両側に一対で形成され、背面部３０との間にカード９を保持可能である。なお、本実施形態において、保持部２０は背面部３０を介して基部１０に接続されている。
背面部３０の裏面（コンテナ８の側面８Ｂに臨む側）には、背面部３０の延びる方向の中間位置（背面部３０の基部１０に接続された一端から離れ、かつ背面部３０の保持部２０が接続された端部からも離れた位置）に側面８Ｂ側に突出する突起３９が形成されている。
この突起３９は、カードホルダ５をコンテナ８に設置した際に側面８Ｂに当接する高さとされている。
本実施形態においては、背面部３０のうち突起３９が形成された位置から先端の保持部２０までが操作部３２となる。
【００４１】
このような本実施形態におけるカード９の取り出し手順は以下の通りである。
図１１において、カードホルダ５はコンテナ８に設置され、背面部３０と保持部２０との間にカード９が保持されている。
カードホルダ５がコンテナ８に設置された状態では、突起３９が側面８Ｂに当接し、背面部３０はカード９の表面側（図１１の右側）に押し出され、その結果、保持部２０のある先端（図中下側）がカード９の表面側に起き上がった状態とされる。
【００４２】
図１２に示すように、作業者がカード９の上から操作部３２を指先(例えば親指）で押すと、背面部３０が突起３９のある部分で屈曲し、全体として円弧状に湾曲する。この際、カード９は下端側を保持部２０で押さえられているが、上端側は押さえられておらず、自身の剛性により上端側が起立する。そこで、作業者が他の指（人差し指など）をカード９の上端と背面部３０あるいは基部１０との間の隙間に差し込み、カード９の所端を摘むことでカード９を引き出す。
【００４３】
このような本実施形態によれば、以下のような効果が得られる。
基部１０および保持部２０により、従来と同様なコンテナ８への設置およびカード９の保持を行うことができる。
背面部３０および操作部３２により、取り出し時にカード９の一部を手前側に起立させることができ、指先でカード９を摘んで引き出す操作を容易に行うことができる。
基部１０を枠状に形成したため、その一部を側面８Ｂに固定することもできる。この場合でも、背面部３０および操作部３２の動作が損なわれることはなく、容易なカード９の取り出しが可能である。
【００４４】
〔変形例〕
なお、本考案は前記各実施形態に限定されるものではなく、細部形状や寸法等は実施にあたって適宜変更することができる。また、カードホルダの材質や表面の仕上げ、色彩等は実施にあたって適宜選択することができる。
例えば、被着物としては、コンテナ８に限らず、例えば機器類、車両などの外装やケース、日用品などであってもよい。
【００４５】
前記第１〜第４実施形態において、基部１０をコンテナ８の下フランジ８Ａに固定される細長い板状としたが、背面部３０および操作部３２を囲むような枠状の基部とし、下フランジ８Ａに固定してもよく、下フランジ８Ａに限らず上フランジに固定し、あるいは枠状の基部の一部をコンテナ８の側面８Ｂに固定してもよい。何れの場合も、背面部３０が操作部３２の操作により引き起こせる構成となっていれば、前記第１〜第４実施形態と同様にカード９の引き起こしを行うことができる。
【００４６】
前記第５実施形態において、保持部２０は背面部３０の先端側（図１０下側）ではなく、基端側（図１０上側）に形成してもよい。このような構成では、背面部３０の先端側をカード９の下端から露出するようにしておき、この露出部分を操作部３２とする。この操作部３２を指先で押すことで、背面部３０が湾曲し、カード９は上端を押さえられているため下端が起立することになる。指先で押している操作部３２はカード９から離れているため、カード９の起立を妨げることがない。
このような構成によっても、カード９の容易な取り出しが可能となる。
【符号の説明】
【００４７】
１〜５…カードホルダ
８Ａ…下フランジ
８Ｂ…側面
８Ｃ…係止凹部
８Ｄ…リブ
８Ｅ，８Ｆ…係止部
９…カード
１０…基部
１１…係止突起
２０…保持部
２１…開口部
２２…ガイド部
３０…背面部
３１…開口部
３２…操作部
３９…突起
【図１】
0003168375.tif 000003
【図２】
0003168375.tif 000004
【図３】
0003168375.tif 000005
【図４】
0003168375.tif 000006
【図５】
0003168375.tif 000007
【図６】
0003168375.tif 000008
【図７】
0003168375.tif 000009
【図８】
0003168375.tif 000010
【図９】
0003168375.tif 000011
【図１０】
0003168375.tif 000012
【図１１】
0003168375.tif 000013
【図１２】
0003168375.tif 000014